(57)【要約】【課題】  ハンディタイプの回転工具（グラインダー）の使用する研磨ディスクを、着脱操作の容易性並びに研磨部の磨耗や目詰まり時の取り替え時作業を容易にする。【解決手段】  装着螺孔を備えたナット部を上面に突出保持すると共に、ナット部の対向面を露出させて工具受け面として、且つ下方部を円板形状に一体成形で製出した装着部１と、適宜なクッション性を備えたベース部２と、円形薄板状の絡着部（マジックテープ：登録商標）３とを積層一体化して回転軸装着体Ａと、背面を前記絡着面に絡着可能な布面で形成し、表面を、砥粒を付着させて形成したヤスリ面とした研磨体Ｂとで研磨ディスクを構成した。【選択図】  図４
2005305603.tif 000002
【特許請求の範囲】
【請求項１】
適宜なクッション機能を備えたベース部の上部に、回転軸への装着螺孔を設け、下部底面に多数の鉤状小突起で形成された絡着面を設けた回転軸装着体と、背面を前記絡着面に絡着可能な布面で形成し、表面を、砥粒を付着させて形成したヤスリ面とした研磨体とで構成したことを特徴とする研磨ディスク。
【請求項２】
研磨体を薄板状のサンドペーパーに形成した請求項１記載の研磨ディスク。
【請求項３】
装着螺孔を備えたナット部を上面に突出保持すると共に、ナット部の対向面を露出させて工具受け面として、且つ下方部を円板形状に一体成形で製出した装着部と、適宜なクッション性を備えたベース部と、円形薄板状の絡着部（マジックテープ：登録商標）とを積層一体化して回転軸装着体を形成してなる請求項１又は２記載の研磨ディスク。
【発明の詳細な説明】
【技術分野】
【０００１】
本発明は、ハンディタイプのグラインダーに使用する研磨ディスクに関するものである。
【背景技術】
【０００２】
ハンディタイプのグラインダーは、モータを内蔵した本体の先部に、ネジ軸となっている回転軸を備え、当該回転軸に研磨ディスクやその他の回転砥石を装着するようにしているものである。
【０００３】
研磨ディスクの具体的形状として、特開平９−１７４４４４号公報（特許文献１）には、中央部に回転工具本体の回転軸に取り付けるための取付孔を有する支持基盤の一方の面に、研磨部が設けられており、この研磨部は、研磨布の多数を傾斜させた状態で且つその一部を重合させた状態で放射状に配列して高圧力でプレスし、重合状態で前記基板に接着剤により接着されている研磨ディスクが開示されている。
【０００４】
また特開平１１−１９８７６号公報（特許文献２）には、中心に取付孔を設けた支持基盤の一面に、平織りガラス繊維を樹脂で固めて形成した弾性砥石基材を、中心を大きく開けたリング状にして接着した研磨ディスクが開示されている。
【０００５】
また特開２００２−３６１２７号公報（特許文献３）には、前記の研磨布を傾斜重合した研磨部を、支持基盤の表裏に接着している研磨ディスクが開示されている。
【０００６】
【特許文献１】特開平９−１７４４４４号公報。
【特許文献２】特開平１１−１９８７６号公報。
【特許文献３】特開平２００２−３６１２７号公報。
【発明の開示】
【発明が解決しようとする課題】
【０００７】
前記の研磨ディスクの取り付け手段は、機体（回転工具本体）の回転軸に、座金体（受け部材）を装着し、そしてディスク支持基盤の取付孔を挿通して装着し、緊締ナットを回転軸に螺合して研磨ディスクを回転軸に固定するものであり、研磨部が磨耗するとディスク全体を取り替えるものである。
【０００８】
従って取り替え作業の煩雑さがあり、而も前記したとおり従前の研磨ディスクの研磨部は、研磨布の傾斜重合体や、平織りガラス繊維を樹脂で固めた部材を採用しており、金属面研磨などを前提としているもので、木材等の柔らかい対象物に対しては直ぐに目詰まりしたりして不都合であるし、且つ消耗品として高価であるという問題もある。
【０００９】
そこで本発明は、着脱自在とした回転軸装着体と研磨体とで構成した新規な研磨ディスクを提案したものである。
【課題を解決するための手段】
【００１０】
本発明に係る研磨ディスクは、適宜なクッション機能を備えたベース部の上部に、回転軸への装着螺孔を設け、下部底面に多数の鉤状小突起で形成された絡着面を設けた回転軸装着体と、背面を前記絡着面に絡着可能な布面で形成し、表面を、砥粒を付着させて形成したヤスリ面とした研磨体とで構成したことを特徴とするものである。
【００１１】
而して市販されているハンディタイプの回転工具本体（機体）の回転軸（螺軸）に回転軸装着体を螺合装着し、回転軸装着体の絡着面に、研磨体を絡着固定し、機体を駆動すると、ヤスリ面での研磨加工作業が可能となるものであり、研磨体のヤスリ面が磨耗すると研磨体を剥がし、新しい研磨体と取り替えれば、再度研磨加工作業が可能となる。
【発明の効果】
【００１２】
本発明は以上の構成であり、座金体や緊締ナットを必要とせずに、回転軸装着体を機体の回転軸に装着するのみで機体に取り付けられ、取り付け作業自体が簡単であると共に、研磨部の磨耗においては研磨体を剥離して新規な研磨体を貼付（絡着）すれば良いもので、研磨部の取替えも容易になされるものである。
【発明を実施するための最良の形態】
【００１３】
次に本発明の実施形態について説明する。実施形態に示した研磨ディスクは、回転軸装着体Ａと研磨体Ｂとで構成されているものである。
【００１４】
回転軸装着体Ａは、装着部１と、ベース部２と、絡着部３を積層一体化したもので、装着部１は、上端中心に装着螺孔１１を備えたナット部１２を突出保持すると共に、ナット部１２の対向面を露出させて工具受け面１３として、且つ下方部分を円板形状に一体成形で製出したものである。ベース部２は、装着部１の底面に接着したもので、所定の厚みを有せしめた発泡樹脂で形成して、適宜なクッション性を備えさせたものである。また絡着部３は、マジックテープ（登録商標）のような多数の鉤状小突起を設けた薄板状で、前記ベース部２の底面に接着固定してなるものである。
【００１５】
研磨体Ｂは、所謂サンドペーパー状のもので、背面を前記絡着部３に絡着可能な布面４で形成し、表面を、砥粒を付着させて形成したヤスリ面５としたものである。
【００１６】
而して市販されている既存のハンディタイプのグラインダー（回転工具：機体）Ｃのアタッチメントの一種として使用するものであるが、前記の機体Ｃは他の部材を使用する際の保護カバー６を備えているので、図３に例示するように保護カバー６を外し、回転軸７に回転軸装着体Ａを螺合装着する。
【００１７】
そして次に研磨体Ｂを、前記回転軸装着体Ａの絡着面（絡着部）に貼り付ける（絡着）ことで固定されるので、図５に例示するとおり、回転工具を駆動すると、研磨体Ｂのヤスリ面での研磨加工作業が可能となるものである。そして研磨体Ｂのヤスリ面が磨耗したり目詰まりを起こすと、使用済みの研磨体を剥がし、新しい研磨体と取り替えれば  、再度研磨加工作業が可能となるものである。
【図面の簡単な説明】
【００１８】
【図１】本発明の研磨ディスクの実施形態の全体斜視図。
【図２】同本発明の研磨ディスクの使用対象の回転工具本体の斜視図。
【図３】同使用時における保護カバーの取り外し状態の説明図。
【図４】同研磨ディスクの装着説明図。
【図５】同使用時用状態の説明図。
【符号の説明】
【００１９】
Ａ      回転軸装着体
１      装着部
１１      装着螺孔
１２      ナット部
１３      工具受け面
２      ベース部
３      絡着部
Ｂ      研磨体
４      布面
５      ヤスリ面
Ｃ      回転工具本体（機体）
６      保護カバー
７      回転軸
【図１】
2005305603.tif 000003
【図２】
2005305603.tif 000004
【図３】
2005305603.tif 000005
【図４】
2005305603.tif 000006
【図５】
2005305603.tif 000007